(57)【要約】      （修正有）【課題】硬化剤液または硬化剤を含む水の高圧ジェット液を用いた地盤改良工法において、平面が任意の多角形または多角形連続状の壁状改良域を効率よく造成できる工法を提供する。【解決手段】先端部に所定方向に向かって配置された複数個のノズル３を有するロッド１を対象地盤５に挿入し、所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理することにより、先に造成した原地盤壁状改良体１０の高圧ジェット液の軌跡が以後造成する原地盤壁状改良体の噴射位置に支障となることなく、前後に造成する原地盤壁状改良体１０の高圧ジェット液の軌跡が焦点を結ぶかおよび／または接合或いは交叉させて原地盤壁状改良体１０を造成する地盤改良工法とした。【選択図】  図１０
2004316397.tif 000002
【特許請求の範囲】
【請求項１】
先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成することで、平面が多角形の壁状改良域または平面が多角形連続状の壁状改良域を造成することを特徴とする地盤改良工法。
【請求項２】
先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成し、さらに原地盤壁状改良体の所定箇所において原地盤壁状改良体と直交する水平板状隔壁を一体造成することで、所定箇所の原地盤に隔壁を設けた平面が多角形の壁状改良域または所定箇所の原地盤に隔壁を設けた平面が多角形連続状の壁状改良域を造成することを特徴とする地盤改良工法。
【請求項３】
先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成し、さらに原地盤壁状改良体の所定箇所において原地盤壁状改良体と直交する水平板状隔壁を一体造成することで、所定箇所の原地盤の周囲に隔壁を設けた重力ブロックもしくは耐圧ブロックとしての平面が多角形の壁状改良域または平面が多角形連続状の壁状改良域を造成することを特徴とする地盤改良工法。
【請求項４】
ロッドを地中に挿入する手段と、ロッドの先端部の複数箇所のノズルより硬化剤液または硬化剤を含む水の高圧ジェット液を同時に噴射しながら定位置停止および／または任意角度回転および／または引き抜くか挿入する手段とよりなり、平面が所定多角形の壁状改良域または平面が所定多角形連続状の壁状改良域を造成する地盤改良装置であって、請求項１，２および３に対応した施工する手段を備えた地盤改良装置。
【発明の詳細な説明】
【０００１】
【発明の属する技術分野】
本発明は、軟弱地盤の安定、地山支保、トンネル支保工、構築物の基礎、構築物の基礎補強、液状化防止、遮水用地中壁、地下水湧水防止などを目的として用いられる硬化剤液または硬化剤を含む水の高圧ジェット液を用いた地盤改良工法と地盤改良装置に関するものである。
【０００２】
【従来の技術】
硬化剤液または硬化剤を含む水の高圧ジェット液を用いた従来の技術は、一本のロッドの一箇所乃至は二箇所から硬化剤を含む水の高圧ジェット液を常時同一の圧力、ノズル径及び流量で回転しながら噴射するだけであった。このため、改良体の個々の形状は、平面視で円形又は半円形又は扇形に限られており、壁状の改良域を造成するにも、径の小さい円形又は半円形又は扇形の造成体を多数重複連接造成する方法しかなく、非常に不経済で、仕様の面からも困難であった。そこで、本出願人は特許第１９４６０３３号で四角状改良体の造成工法を開発し、環境への影響低減、コスト低下等の効果が見込まれる壁状・四角状の改良体の造成が可能となり、さらに格子状の壁状改良域の造成については経済的に行えるようになったものの、硬化剤液または硬化剤を含む水の高圧ジェット液を用いて六角形や三角形、平行四辺形など任意の平面が多角形状の壁状改良域を造成する方法、および更にこれら壁状改良域を利用して在来土をブロック状に封じ込めることにより重力ブロック或いは耐圧ブロックとしての利用をはかる技術はなく、困難であった。
【０００３】
【特許文献１】
特公平０６−０８０２４７号公報
【０００４】
【発明が解決しようとする課題】
正三角形や正六角形の連続した壁状域は、周囲からの力に対する応力体として非常に優れている。例えば正六角形連続状壁状域（ハニカム状）は、現在航空機や工業製品の中で広く活用されている。利点としては中空でありながら高い強度が得られるため、軽量化が図れ、さらに原材料の低減にもつながる点などがある。この考えは地盤の中でも有効であり、省資源、自然保護の上からもさらに有効なものと考えられるが、硬化剤液または硬化剤を含む水の高圧ジェット液を用いた従来の技術による円形又は半円形又は扇形の改良体では、さらには本出願人の特許第１９４６０３３号の四角状改良体の造成によっても、格子状以外の、六角形や三角形、平行四辺形など任意形状の平面が多角形状の壁状改良域を造成するには、仕様面での不具合、さらにはコストと材料の面で無駄が多く非常に困難であった。そのため、対象地盤を開削することなく対象地盤中を改良できる硬化剤液または硬化剤を含む水の高圧ジェット液を用いた地盤改良工法においても、任意の平面が多角形の壁状改良域または平面が多角形連続状の壁状改良域を効率よく造成できる工法が待ち望まれており、さらに、多角形の壁状改良域または平面が多角形連続状の壁状改良域を重力ブロックあるいは耐圧ブロックとして利用をはかる技術も、在来土を活かす環境に優しい技術という面からも、待ち望まれている。
【０００５】
【課題を解決するための手段】
そこで、本発明は、上記の事情に鑑み、新しい地盤改良工法として、平面が多角形の壁状改良域または平面が多角形連続状の壁状改良域を造成すべく、先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成することで、平面が多角形の壁状改良域または平面が多角形連続状の壁状改良域を造成することを特徴とする地盤改良工法とした。
【０００６】
また、本発明は、先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成し、さらに原地盤壁状改良体の所定箇所において原地盤壁状改良体と直交する水平板状隔壁を一体造成することで、所定箇所の原地盤に隔壁を設けた平面が多角形の壁状改良域または所定箇所の原地盤に隔壁を設けた平面が多角形連続状の壁状改良域を造成することを特徴とする地盤改良工法とした。
【０００７】
さらにまた、本発明は、先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成し、さらに原地盤壁状改良体の所定箇所において原地盤壁状改良体と直交する水平板状隔壁を一体造成することで、所定箇所の原地盤の周囲に隔壁を設けた重力ブロックもしくは耐圧ブロックとしての平面が多角形の壁状改良域または平面が多角形連続状の壁状改良域を造成することを特徴とする地盤改良工法とした。
【０００８】
また、本発明は、ロッドを地中に挿入する手段と、ロッドの先端部の複数箇所のノズルより硬化剤液または硬化剤を含む水の高圧ジェット液を同時に噴射しながら定位置停止および／または任意角度回転および／または引き抜くか挿入する手段とよりなり、平面が多角形の壁状改良域または平面が多角形連続状の壁状改良域を造成する地盤改良装置とした。
【０００９】
【発明の実施の態様】
本発明を、添付する図面に示す具体的な実施例に基づいて、以下詳細に説明する。
【００１０】
本発明に用いるロッドの先端には、複数個のノズルを有している。またノズルは、ロッドに対して水平に設置することもあれば、垂直方向や斜め方向に設置することもある。ノズルの径・形状及び噴射方向及び噴射圧力はそれぞれ所定または任意に設定するため、同一ロッド上のノズルは、径と圧力はすべて同一である必要はなく、個別に設定できる。
【００１１】
図１にノズル３を３個配したロッド１と図２にノズル３を４個配したロッド１を示した。ここでロッド１の断面形状は円形または角形いずれでもよく、ノズル３は同時に全てを使用してもよいし、任意箇所のみを使用してもよい。また、ノズル３は同一ロッド上で個別に径が設定できる。ロッド１の内部には１本乃至は数本の硬化剤通路が各ノズルにつながっており、硬化剤を含む水を２００〜６００ｋｇｆ／ｃｍ２程度の高圧ジェット液として地中に噴射する。なお、硬化剤を含む水単独のみの噴射の他、繊維状硬化材を含む水を単独で噴射したり、硬化剤を含む水または繊維状硬化材を含む水を圧縮空気と合わせて噴射することもある。またノズル３はロッド１の先端部に装着するロッド先端装着ブロック２に設けて、ロッド先端装着ブロック２を必要個数装着して使用してもよい。
【００１２】
図３には径２．８ｍｍのノズル３を３個を内角１２０°で均等に配置したロッド先端装着ブロック２を２ヶ先端に装着したロッド１の例を示した。ロッド１の内部には１本乃至は数本の硬化剤通路があり、ロッド先端装着ブロック２の各ノズル３につながっており、硬化剤を含む水を２００〜６００ｋｇｆ／ｃｍ２程度の高圧ジェット液として地中に噴射する。なお、硬化剤を含む水単独のみの噴射の他、繊維状硬化材を含む水を単独で噴射したり、硬化剤を含む水または繊維状硬化材を含む水を圧縮空気と合わせて噴射することもある。図３のロッド１を使用した場合、図４のような外側に向かって内角６０°の均等な配置の硬化剤液または硬化剤を含む水の高圧ジェット液の軌跡４となる。
【００１３】
図１で示したロッド１を使用して、六角形の壁状改良域１１および六角形連続状の壁状改良域１２を造成する方法について説明する。
【００１４】
図５に示すように、対象地盤５にボーリングマシンあるいはアースオーガなどの適宜手段により、ロッド１を所定深度まで挿入する。
【００１５】
続いて、ロッド１の硬化剤通路を経た高圧のセメントミルク等の硬化剤を含む水もしくは繊維状硬化材を含む高圧ジェット液をノズル３より噴射すると、図６のような高圧ジェット液の軌跡４ができる。この高圧ジェットの軌跡のノズルから先端部までの長さは、通常の砂質土地盤中で噴射圧力４００ｋｇｆ／ｃｍ２で１秒間噴射した場合、ノズル径が１．８ｍｍの場合で０．５ｍから１．５ｍ程度、ノズル径が２．８ｍｍの場合で１ｍ〜２ｍ程度、ノズル径が３．８ｍｍの場合で２ｍ〜４ｍとされているが、それに準じたものとなる。
【００１６】
次に、ロッド１を１ステップ当たり２〜５ｃｍ程度上昇させながら、高圧ジェット液の噴射を行い、所定の高さまでロッド１を引き抜くと、図７のような原地盤壁状改良体１０が造成できる。また、各ステップ位置で、ロッドを所定角度回転し、所定の高さまでロッド１を引き抜くと、図８のような原地盤壁状改良体１０が造成できる。これは壁厚が必要となる場合有効である。
【００１７】
図７の原地盤壁状改良体１０に隣接する箇所に、先に造成した原地盤壁状改良体１０の高圧ジェット液の軌跡４が以後造成する原地盤壁状改良体の噴射位置に支障となることなく、前後に造成する原地盤壁状改良体１０の高圧ジェット液の軌跡４が焦点を結ぶかおよび／または接合或いは交叉させて複数の原地盤壁状改良体１０を二本造成して、平面が六角形の壁状改良域１１を造成した例を図９に示した。この平面が六角形の壁状改良域１１の隣接する箇所に、同様に原地盤壁状改良体１０を所定本数造成すると、図１０のような六角形連続状の壁状改良域１２が造成できる。
【００１８】
また図２に示したロッド１を使用して原地盤壁状改良体１０を所定本数造成した場合、図１１のような平面が四角形連続状の壁状改良域１３が造成できる。壁間距離を短くしたい場合は、図１２のように原地盤壁状改良体１０を任意に配置して平面が四角形連続状の壁状改良域１３を造成することで対応できる。
【００１９】
また図３に示したロッドを使用して、原地盤壁状改良体１０を所定本数造成した場合、図１３のような平面が平行四辺形連続状の壁状改良域１４が造成できる。
【００２０】
次に、図１と図３に示したロッドを使用して、平面が正三角形連続状の壁状改良域１５を造成する方法を説明する。
【００２１】
図１のロッドを用いて、図９、図１０のような平面が六角形の壁状改良域１１もしくは平面が六角形連続状の壁状改良域１２を造成し、次に、図３のロッド１を図１４のように平面が六角形の壁状改良域１１もしくは平面が六角形連続状の壁状改良域１２の中央部に挿入し、１ステップ当たり２〜５ｃｍ程度上昇させながら、高圧ジェット液の噴射を行い、所定の高さまでロッド１を引き抜くと、図１５のような、平面が正三角形連続状の壁状改良域１３が造成できる。このとき、先に造成した平面が六角形の壁状改良域１１もしくは平面が六角形連続状の壁状改良域１２の硬化状況に留意し、かつ各々の原地盤壁状改良体１０の高圧ジェット液の軌跡４が以後造成する原地盤壁状改良体１０の噴射位置に支障となることなく、前後に造成する原地盤壁状改良体１０の高圧ジェット液の軌跡４が焦点を結ぶかおよび／または接合或いは交叉するように、施工の順番を決定する必要がある。
【００２２】
図１６では、図１０の六角形連続状の壁状改良域１２において、所定の箇所に水平板状隔壁１６を一体造成することで、所定箇所の原地盤に隔壁を設けた平面が六角形連続状の壁状改良域１２を造成した例を示す。この平面が六角形連続状の壁状改良域１２は止水性を有している。ここでは、平面が六角形連続状の壁状改良域１２における例を示したが、六角形に限らず、どの多角形においても水平板状隔壁１６を所定の箇所に一体造成することができる。
【００２３】
図１７では、四角形連続状の壁状改良域１３において、両端に水平板状隔壁１６を一体造成することで、所定箇所の原地盤の周囲に隔壁を設けて重力ブロックもしくは耐圧ブロックとしての平面が四角形連続状の壁状改良域１３を造成した例を示した。この重力ブロックもしくは耐圧ブロックは、内部に原地盤を包合して利用することを特徴としている。ここでは、平面が四角形連続状の壁状改良域１３における例を示したが、四角形に限らず、どの多角形においても水平板状隔壁１６を所定の箇所に一体造成して重力ブロックもしくは耐圧ブロックとして利用することができる。
【００２４】
なお、本発明は、垂直方向に限らず、図１８のように水平方向、また斜め方向にも利用することができる。さらには管理装置７を用いて、噴射圧力、噴射角度、噴射時間、噴射方向、引上げ速度、深度、造成角度、スラリー距離等を一元的に管理することもできる。
【００２５】
【発明の効果】
本発明は、先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成することで、平面が多角形の壁状改良域または平面が多角形連続状の壁状改良域を造成することを特徴とする地盤改良工法であるので、新しい地盤改良技術として、平面が多角形の壁状改良域または平面が多角形連続状の壁状改良域を造成することができる。
【００２６】
本発明は、具体的には、先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成し、さらに原地盤壁状改良体の所定箇所において原地盤壁状改良体と直交する水平板状隔壁を一体造成することで、所定箇所の原地盤に隔壁を設けた平面が多角形の壁状改良域または所定箇所の原地盤に隔壁を設けた平面が多角形連続状の壁状改良域を造成することを特徴とする地盤改良工法とした。
【００２７】
本発明は、具体的には、先端部に所定方向に向かって配置された複数個のノズルを有するロッドを対象地盤に挿入し、複数個のノズルのうち所定複数箇所の所定径のノズルより所定圧力の硬化剤液または硬化剤を含む水の高圧ジェット液を同時に噴射しながら定位置停止および／または任意角度回転および／または引き抜くか挿入することで、各ノズルより噴射される該高圧ジェット液の飛距離と方向を操作管理して所定の位置に所定の形状の原地盤壁状改良体を造成する工法にあって、先に造成した原地盤壁状改良体の高圧ジェット液の軌跡が以後造成する原地盤壁状改良体の噴射位置に支障となることなく、前後に造成する原地盤壁状改良体の高圧ジェット液の軌跡が焦点を結ぶかおよび／または接合或いは交叉させて複数の原地盤壁状改良体を造成し、さらに原地盤壁状改良体の所定箇所において原地盤壁状改良体と直交する水平板状隔壁を一体造成することで、所定箇所の原地盤の周囲に隔壁を設けた重力ブロックもしくは耐圧ブロックとしての平面が多角形の壁状改良域または平面が多角形連続状の壁状改良域を造成することを特徴とする地盤改良工法とした。
【００２８】
また、本発明は、対応した施工する手段を備えた地盤改良装置とすべく、ロッドを地中に挿入する手段と、ロッドの先端部の複数箇所のノズルより硬化剤液または硬化剤を含む水の高圧ジェット液を同時に噴射しながら定位置停止および／または任意角度回転および／または引き抜くか挿入する手段とよりなり、平面が所定多角形の壁状改良域または平面が所定多角形連続状の壁状改良域を造成する地盤改良装置とした。
【図面の簡単な説明】
【図１】本発明の実施例で、ノズルを３個配したロッドの斜視図である。
【図２】本発明の実施例で、ノズルを４個配したロッドの斜視図である。
【図３】本発明の実施例で、ノズルを３個配したロッド先端装着ブロックを２ヶ装着したロッドの斜視図である。
【図４】図３のロッドを使用した状態の平面図である。
【図５】本発明の造成マシンにより、ロッドを地盤に挿入した状態の正面図である。
【図６】図１のロッドを使用した状態の平面図である。
【図７】図１のロッドを使用して造成した原地盤壁状改良体の斜視図である。
【図８】図１のロッドを使用して造成した原地盤壁状改良体の斜視図である。
【図９】図１のロッドを使用して造成した平面が六角形の壁状改良域の平面図である。
【図１０】図１のロッドを使用して造成した平面が六角形連続状の壁状改良域の平面図である。
【図１１】図２のロッドを使用して造成した平面が四角形連続状の壁状改良域の平面図である。
【図１２】図２のロッドを使用して造成した平面が四角形連続状の壁状改良域の平面図である。
【図１３】図３のロッドを使用して造成した平面が平行四辺形連続状の壁状改良域の平面図である。
【図１４】図３のロッドを所定地盤の所定箇所に挿入して使用した状態の斜視図である。
【図１５】図１及び図３のロッドを使用して造成した平面が正三角形連続状の壁状改良域の平面図である
【図１６】所定の箇所に水平板状隔壁を設けた平面が六角形連続状の壁状改良域の斜視図である。
【図１７】所定の箇所に水平板状隔壁を設けて重力ブロックもしくは耐圧ブロックとした平面が四角形連続状の壁状改良域の断面図である。
【図１８】本発明を水平方向に実施した状態の斜視図である。
【符号の説明】
１…ロッド
２…ロッド先端装着ブロック
３…ノズル
４…高圧ジェット液の軌跡
５…対象地盤
６…造成マシン
７…管理装置
１０…原地盤壁状改良体
１１…平面が六角形の壁状改良域
１２…平面が六角形連続状の壁状改良域
１３…平面が四角形連続状の壁状改良域
１４…平面が平行四辺形連続状の壁状改良域
１５…平面が正三角形連続状の壁状改良域
１６…水平板状隔壁
【図１】
2004316397.tif 000003
【図２】
2004316397.tif 000004
【図３】
2004316397.tif 000005
【図４】
2004316397.tif 000006
【図５】
2004316397.tif 000007
【図６】
2004316397.tif 000008
【図７】
2004316397.tif 000009
【図８】
2004316397.tif 000010
【図９】
2004316397.tif 000011
【図１０】
2004316397.tif 000012
【図１１】
2004316397.tif 000013
【図１２】
2004316397.tif 000014
【図１３】
2004316397.tif 000015
【図１４】
2004316397.tif 000016
【図１５】
2004316397.tif 000017
【図１６】
2004316397.tif 000018
【図１７】
2004316397.tif 000019
【図１８】
2004316397.tif 000020